(57)【要約】  無線通信ネットワークにおいて多フェーズ選択式接続確立を容易にするシステム及び方法。無線資源制御（ＲＲＣ）層通信をモバイルデバイスと基地局との間においてインスタンス化することができる。前記モバイルデバイスに関して下流ネットワーク構成要素によって追加情報を要求することができる。従って、前記ＲＲＣ資源は、多フェーズ確立を容易にするために前記モバイルデバイスから前記ネットワーク構成要素に前記追加情報を送信するために利用することができる。これは、非アクセス層（ＮＡＳ）メッセージを用いて達成させることができる。さらに、前記情報は、権限付与、セキュリティ再構成、コンテキスト再同期化、前記モバイルデバイスのアイデンティティ、等に関連することができる。【選択図】図５
2010528497.tif 000002
【特許請求の範囲】
【請求項１】
無線通信ネットワークにおいてアクセスポイントとの接続を確立するための方法であって、
無線資源制御（ＲＲＣ）層において接続を確立することに関連する初期パラメータを送信することと、
ユーザープレーンデータ接続を確立するための追加パラメータを前記追加パラメータの要求に少なくとも部分的に基づいて生成することと、
前記ユーザープレーンデータ接続を確立するために前記ＲＲＣ層を通じて前記追加パラメータを送信すること、とを備える、方法。
【請求項２】
前記追加パラメータ要求は、下流ネットワーク構成要素の代わりに行われる請求項１に記載の方法。
【請求項３】
前記下流ネットワーク構成要素は、コンテキストを格納し、前記追加パラメータ要求は、前記コンテキストに関連する少なくとも１つの更新に対応する請求項２に記載の方法。
【請求項４】
前記下流ネットワーク構成要素は、権限付与情報を格納し、前記追加パラメータ要求は、前記権限付与情報に関連する少なくとも１つの値に対応する請求項２に記載の方法。
【請求項５】
前記追加パラメータ要求は、非アクセス層（ＮＡＳ）メッセージの一部として前記下流ネットワーク構成要素から受信される請求項２に記載の方法。
【請求項６】
前記追加パラメータは、後続するＮＡＳメッセージを用いて前記下流ネットワーク構成要素に送信される請求項５に記載の方法。
【請求項７】
前記追加パラメータは、前記初期パラメータに関するサイズ制限に少なくとも部分的に基づいて生成及び送信される請求項１に記載の方法。
【請求項８】
前記初期パラメータを送信することに応答して資源許可を受信することをさらに備える請求項１に記載の方法。
【請求項９】
前記初期パラメータを送信するためにアイドル状態からアクティブ状態に移行することをさらに備える請求項１に記載の方法。
【請求項１０】
無線通信装置であって、
無線資源制御（ＲＲＣ）層において接続を確立することに関連する初期パラメータを送信し、
ユーザープレーンデータ接続を確立するための追加パラメータを前記追加パラメータの要求に少なくとも部分的に基づいて生成し、及び
前記ユーザープレーンデータ接続を確立するために前記ＲＲＣ層を通じて前記追加パラメータを送信するように構成された少なくとも１つのプロセッサと、
前記少なくとも１つのプロセッサに結合されたメモリと、を備える、無線通信装置。
【請求項１１】
前記追加パラメータ要求は、下流ネットワーク構成要素の代わりに行われる請求項１０に記載の無線通信装置。
【請求項１２】
前記下流ネットワーク構成要素は、コンテキストを格納し、前記追加パラメータ要求は、前記コンテキストに関連する少なくとも１つの更新に対応する請求項１１に記載の無線通信装置。
【請求項１３】
前記下流ネットワーク構成要素は、権限付与情報を格納し、前記追加パラメータ要求は、前記権限付与情報に関連する少なくとも１つの値に対応する請求項１１に記載の無線通信装置。
【請求項１４】
前記追加パラメータ要求は、非アクセス層（ＮＡＳ）メッセージの一部として前記下流ネットワーク構成要素から受信される請求項１１に記載の無線通信装置。
【請求項１５】
前記追加パラメータは、後続するＮＡＳメッセージを用いて前記下流ネットワーク構成要素に送信される請求項１４に記載の無線通信装置。
【請求項１６】
前記追加パラメータは、前記初期パラメータに関するサイズ制限に少なくとも部分的に基づいて生成及び送信される請求項１０に記載の無線通信装置。
【請求項１７】
前記少なくとも１つのプロセッサは、前記初期パラメータを送信することに応答して資源許可を受信するようにさらに構成される請求項１０に記載の無線通信装置。
【請求項１８】
前記少なくとも１つのプロセッサは、前記初期パラメータを送信するためにアイドル状態からアクティブ状態に移行するようにさらに構成される請求項１０に記載の無線通信装置。
【請求項１９】
無線通信ネットワークにおいて選択式多フェーズ接続確立を用いる無線通信装置であって、
無線資源制御（ＲＲＣ）層において接続を確立することに関連する初期パラメータを送信するための手段と、
ユーザープレーンデータ接続を確立するための追加パラメータを前記追加パラメータの要求に少なくとも部分的に基づいて生成するための手段と、
前記ユーザープレーンデータ接続を確立するために前記ＲＲＣ層を通じて前記追加パラメータを送信するための手段と、を備える、無線通信装置。
【請求項２０】
前記追加パラメータ要求は、下流ネットワーク構成要素の代わりに行われる請求項１９に記載の無線通信装置。
【請求項２１】
前記下流ネットワーク構成要素は、コンテキストを格納し、前記追加パラメータ要求は、前記コンテキストに関連する少なくとも１つの更新に対応する請求項２０に記載の無線通信装置。
【請求項２２】
前記下流ネットワーク構成要素は、権限付与情報を格納し、前記追加パラメータ要求は、前記権限付与情報に関連する少なくとも１つの値に対応する請求項２０に記載の無線通信装置。
【請求項２３】
前記追加パラメータ要求は、非アクセス層（ＮＡＳ）メッセージの一部として前記下流ネットワーク構成要素から受信される請求項２０に記載の無線通信装置。
【請求項２４】
前記追加パラメータは、後続するＮＡＳメッセージを用いて前記下流ネットワーク構成要素に送信される請求項２３に記載の無線通信装置。
【請求項２５】
前記追加パラメータは、前記初期パラメータに関するサイズ制限に少なくとも部分的に基づいて生成及び送信される請求項１９に記載の無線通信装置。
【請求項２６】
前記初期パラメータを送信することに応答して資源許可を受信するための手段をさらに備える請求項１９に記載の無線通信装置。
【請求項２７】
前記初期パラメータを送信するためにアイドル状態からアクティブ状態に移行するための手段をさらに備える請求項１９に記載の無線通信装置。
【請求項２８】
コンピュータプログラム製品であって、
無線資源制御（ＲＲＣ）層において接続を確立することに関連する初期パラメータを送信することを少なくとも１つのコンピュータに行わせるための符号と、
ユーザープレーンデータ接続を確立するための追加パラメータを前記追加パラメータの要求に少なくとも部分的に基づいて生成することを前記少なくとも１つのコンピュータに行わせるための符号と、
前記ユーザープレーンデータ接続を確立するために前記ＲＲＣ層を通じて前記追加パラメータを送信することを前記少なくとも１つのコンピュータに行わせるための符号と、を備えるコンピュータによって読み取り可能な媒体を備える、コンピュータプログラム製品。
【請求項２９】
前記追加パラメータ要求は、下流ネットワーク構成要素の代わりに行われる請求項２８に記載のコンピュータプログラム製品。
【請求項３０】
前記下流ネットワーク構成要素は、コンテキストを格納し、前記追加パラメータ要求は、前記コンテキストに関連する少なくとも１つの更新に対応する請求項２９に記載のコンピュータプログラム製品。
【請求項３１】
前記下流ネットワーク構成要素は、権限付与情報を格納し、前記追加パラメータ要求は、前記権限付与情報に関連する少なくとも１つの値に対応する請求項２９に記載のコンピュータプログラム製品。
【請求項３２】
前記追加パラメータ要求は、非アクセス層（ＮＡＳ）メッセージの一部として前記下流ネットワーク構成要素から受信される請求項２９に記載のコンピュータプログラム製品。
【請求項３３】
前記追加パラメータは、後続するＮＡＳメッセージを用いて前記下流ネットワーク構成要素に送信される請求項３２に記載のコンピュータプログラム製品。
【請求項３４】
前記追加パラメータは、前記初期パラメータに関するサイズ制限に少なくとも部分的に基づいて生成及び送信される請求項２８に記載のコンピュータプログラム製品。
【請求項３５】
前記コンピュータによって読み取り可能な媒体は、前記初期パラメータを送信することに応答して資源許可を受信することを前記少なくとも１つのコンピュータに行わせるための符号をさらに備える請求項２８に記載のコンピュータプログラム製品。
【請求項３６】
前記コンピュータによって読み取り可能な媒体は、前記初期パラメータを送信するためにアイドル状態からアクティブ状態に移行することを前記少なくとも１つのコンピュータに行わせるための符号をさらに備える請求項２８に記載のコンピュータプログラム製品。
【請求項３７】
無線通信ネットワークにおいてモバイルデバイスに関するユーザープレーン接続を容易にするための方法であって、
モバイルデバイスに関するユーザープレーン接続をネットワークデバイスに要求する一部として初期パラメータを前記ネットワークデバイスに送信することと、
追加のモバイルデバイスパラメータの要求を前記ネットワークデバイスから受信することと、
追加のモバイルデバイスパラメータの前記要求を前記モバイルデバイスに送信すること、とを備える。方法。
【請求項３８】
前記モバイルデバイスから受信された初期接続確立要求に基づいて無線資源制御（ＲＲＣ）層資源を前記モバイルデバイスに割り当てることをさらに備える請求項３７に記載の方法。
【請求項３９】
前記ネットワークデバイスは、前記モバイルデバイスに関する情報を格納し、前記要求される追加のモバイルデバイスパラメータのうちの１つ以上は、前記モバイルデバイスに関する前記情報の一部分を更新することに関連する請求項３７に記載の方法。
【請求項４０】
前記モバイルデバイスに関する前記格納された情報は、前記モバイルデバイスに関する権限付与又はコンテキストパラメータに関連する請求項３９に記載の方法。
【請求項４１】
前記ネットワークデバイスの代わりに前記モバイルデバイスに第１の非アクセス層（ＮＡＳ）メッセージを送信することをさらに備える請求項３７に記載の方法。
【請求項４２】
前記第１のＮＡＳメッセージに少なくとも部分的に基づいて前記モバイルデバイスの代わりに前記ネットワークデバイスに第２のＮＡＳメッセージを送信することをさらに備える請求項４１に記載の方法。
【請求項４３】
前記モバイルデバイスから受信された前記追加のモバイルデバイスパラメータを前記ネットワークデバイスに転送することに少なくとも部分的に基づいて前記モバイルデバイスに関する前記ユーザープレーン接続を確立することをさらに備える請求項３７に記載の方法。
【請求項４４】
無線資源制御（ＲＲＣ）層接続メッセージに付加されたＮＡＳメッセージを前記モバイルデバイスから受信することと、
前記ネットワークデバイスからの応答を受信するのと独立して前記ＲＲＣ層接続メッセージに基づいて前記モバイルデバイスへのＲＲＣ層資源を許可すること、とをさらに備える請求項３７に記載の方法。
【請求項４５】
無線通信装置であって、
モバイルデバイスに関するユーザープレーン接続をネットワークデバイスに要求する一部として初期パラメータを前記ネットワークデバイスに送信し、
追加のモバイルデバイスパラメータの要求を前記ネットワークデバイスから受け取り、及び
追加のモバイルデバイスパラメータの前記要求を前記モバイルデバイスに送信するように構成された少なくとも１つのプロセッサと、
前記少なくとも１つのプロセッサに結合されたメモリと、を備える、無線通信装置。
【請求項４６】
前記少なくとも１つのプロセッサは、前記モバイルデバイスから受信された初期接続確立要求に基づいて無線資源制御（ＲＲＣ）層資源を前記モバイルデバイスに割り当てるようにさらに構成される請求項４５に記載の無線通信装置。
【請求項４７】
前記ネットワークデバイスは、前記モバイルデバイスに関する情報を格納し、前記要求される追加のモバイルデバイスパラメータのうちの１つ以上は、前記モバイルデバイスに関する前記情報の一部分を更新することに関連する請求項４５に記載の無線通信装置。
【請求項４８】
前記モバイルデバイスに関する前記格納された情報は、前記モバイルデバイスに関する権限付与又はコンテキストパラメータに関連する請求項４７に記載の無線通信装置。
【請求項４９】
前記少なくとも１つのプロセッサは、前記ネットワークデバイスの代わりに前記モバイルデバイスに第１の非アクセス層（ＮＡＳ）メッセージを送信するようにさらに構成される請求項４５に記載の無線通信装置。
【請求項５０】
前記少なくとも１つのプロセッサは、前記第１のＮＡＳメッセージに少なくとも部分的に基づいて前記モバイルデバイスの代わりに前記ネットワークデバイスに第２のＮＡＳメッセージを送信するようにさらに構成される請求項４９に記載の無線通信装置。
【請求項５１】
前記少なくとも１つのプロセッサは、前記モバイルデバイスから受信された前記追加のモバイルデバイスパラメータを前記ネットワークデバイスに転送することに少なくとも部分的に基づいて前記モバイルデバイスに関する前記ユーザープレーン接続を確立するようにさらに構成される請求項４５に記載の無線通信装置。
【請求項５２】
前記少なくとも１つのプロセッサは、
無線資源制御（ＲＲＣ）層接続メッセージに付加されたＮＡＳメッセージを前記モバイルデバイスから受け取り、及び
前記ネットワークデバイスからの応答を受信するのと独立して前記ＲＲＣ層接続メッセージに基づいて前記モバイルデバイスへのＲＲＣ層資源を許可するようにさらに構成される請求項４５に記載の無線通信装置。
【請求項５３】
モバイルデバイスに関する多フェーズユーザープレーン接続を確立するための無線通信装置であって、
モバイルデバイスに関するユーザープレーン接続をネットワークデバイスに要求する一部として初期パラメータを前記ネットワークデバイスに送信するための手段と、
追加のモバイルデバイスパラメータの要求を前記ネットワークデバイスから受け取るための手段と、
追加のモバイルデバイスパラメータの前記要求を前記モバイルデバイスに送信するための手段と、を備える、無線通信装置。
【請求項５４】
前記モバイルデバイスから受信された初期接続確立要求に基づいて無線資源制御（ＲＲＣ）層資源を前記モバイルデバイスに割り当てるための手段をさらに備える請求項５３に記載の無線通信装置。
【請求項５５】
前記ネットワークデバイスは、前記モバイルデバイスに関する情報を格納し、前記要求される追加のモバイルデバイスパラメータのうちの１つ以上は、前記モバイルデバイスに関する前記情報のうちの一部分を更新することに関連する請求項５３に記載の無線通信装置。
【請求項５６】
前記モバイルデバイスに関する前記格納された情報は、前記モバイルデバイスに関する権限付与又はコンテキストパラメータに関連する請求項５５に記載の無線通信装置。
【請求項５７】
前記ネットワークデバイスの代わりに前記モバイルデバイスに第１の非アクセス層（ＮＡＳ）メッセージを送信するための手段をさらに備える請求項５５に記載の無線通信装置。
【請求項５８】
前記第１のＮＡＳメッセージに少なくとも部分的に基づいて前記モバイルデバイスの代わりに前記ネットワークデバイスに第２のＮＡＳメッセージを送信するための手段をさらに備える請求項５７に記載の無線通信装置。
【請求項５９】
前記モバイルデバイスから受信された前記追加のモバイルデバイスパラメータを前記ネットワークデバイスに転送することに少なくとも部分的に基づいて前記モバイルデバイスに関する前記ユーザープレーン接続を確立するための手段をさらに備える請求項５３に記載の無線通信装置。
【請求項６０】
無線資源制御（ＲＲＣ）層接続メッセージに付加されたＮＡＳメッセージを前記モバイルデバイスから受信するための手段と、
前記ネットワークデバイスからの応答を受信するのと独立して前記ＲＲＣ層接続メッセージに基づいて前記モバイルデバイスへのＲＲＣ層資源を許可するための手段と、をさらに備える請求項５３に記載の無線通信装置。
【請求項６１】
コンピュータプログラム製品であって、  
モバイルデバイスに関するユーザープレーン接続をネットワークデバイスに要求する一部として初期パラメータを前記ネットワークデバイスに送信することを少なくとも１つのコンピュータに行わせるための符号と、
追加のモバイルデバイスパラメータの要求を前記ネットワークデバイスから受け取ることを前記少なくとも１つのコンピュータに行わせるための符号と、
追加のモバイルデバイスパラメータの前記要求を前記モバイルデバイスに送信することを前記少なくとも１つのコンピュータに行わせるための符号と、を備えるコンピュータによって読み取り可能な媒体を備える、コンピュータプログラム製品。
【請求項６２】
前記コンピュータによって読み取り可能な媒体は、前記モバイルデバイスから受信された初期接続確立要求に基づいて無線資源制御（ＲＲＣ）層資源を前記モバイルデバイスに割り当てることを前記少なくとも１つのコンピュータに行わせるための符号をさらに備える請求項６１に記載のコンピュータプログラム製品。
【請求項６３】
前記ネットワークデバイスは、前記モバイルデバイスに関する情報を格納し、前記要求される追加のモバイルデバイスパラメータのうちの１つ以上は、前記モバイルデバイスに関する前記情報のうちの一部分を更新することに関連する請求項６１に記載のコンピュータプログラム製品。
【請求項６４】
前記モバイルデバイスに関する前記格納された情報は、前記モバイルデバイスに関する権限付与又はコンテキストパラメータに関連する請求項６３に記載のコンピュータプログラム製品。
【請求項６５】
前記コンピュータによって読み取り可能な媒体は、前記ネットワークデバイスの代わりに前記モバイルデバイスに第１の非アクセス層（ＮＡＳ）メッセージを送信することを前記少なくとも１つのコンピュータに行わせるための符号をさらに備える請求項６１に記載のコンピュータプログラム製品。
【請求項６６】
前記コンピュータによって読み取り可能な媒体は、前記第１のＮＡＳメッセージに少なくとも部分的に基づいて前記モバイルデバイスの代わりに前記ネットワークデバイスに第２のＮＡＳメッセージを送信することを前記少なくとも１つのコンピュータに行わせるための符号をさらに備える請求項６５に記載のコンピュータプログラム製品。
【請求項６７】
前記コンピュータによって読み取り可能な媒体は、前記モバイルデバイスから受信された前記追加のモバイルデバイスパラメータを前記ネットワークデバイスに転送することに少なくとも部分的に基づいて前記モバイルデバイスに関する前記ユーザープレーン接続を確立することを前記少なくとも１つのコンピュータに行わせるための符号をさらに備える請求項６１に記載のコンピュータプログラム製品。
【請求項６８】
前記コンピュータによって読み取り可能な媒体は、
無線資源制御（ＲＲＣ）層接続メッセージに付加されたＮＡＳメッセージを前記モバイルデバイスから受信することを前記少なくとも１つのコンピュータに行わせるための符号と、
前記ネットワークデバイスからの応答を受信するのと独立して前記ＲＲＣ層接続メッセージに基づいて前記モバイルデバイスへのＲＲＣ層資源を許可することを前記少なくとも１つのコンピュータに行わせるための符号と、をさらに備える請求項６１に記載のコンピュータプログラム製品。
【発明の詳細な説明】
【技術分野】
【０００１】
関連出願の相互参照
本出願は、“METHOD AND APPARATUS FOR ESTABLISHING A CONNECTION IN A WIRELESS COMMUNICATION SYSTEM”（無線通信システムにおいて接続を確立するための方法及び装置）という題名を有する米国仮特許出願一連番号６０／８９５，５７９（出願日：２００７年３月１９日）の利益を主張するものである。上記の出願の全体が、参照されることによってここに組み入れられている、
以下の説明は、一般的には、無線通信に関するものである。以下の説明は、より具体的には、無線ネットワークにおける通信のための接続を確立することに関するものである。
【背景技術】
【０００２】
様々なタイプの通信コンテンツ、例えば、音声、データ、等、を提供することを目的として無線通信システムが広範囲にわたって配備されている。典型的無線通信システムは、利用可能なシステム資源（例えば、帯域幅、送信電力、等）を共有することによって複数のユーザーとの通信をサポートすることができる多元接続システムであることができる。該多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、等を含むことができる。さらに、システムは、第３世代パートナーシッププロジェクト（３ＧＰＰ）、３ＧＰＰロング・ターム・エボリューション（ＬＴＥ）、等の仕様に準拠することができる。
【０００３】
一般的には、無線多元接続通信システムは、複数のモバイルデバイスに関する通信を同時にサポートすることができる。各モバイルデバイスは、順方向リンク及び逆方向リンクを介して１つ以上の基地局と通信することができる。順方向リンク（又はダウンリンク）は、基地局からモバイルデバイスへの通信リンクを意味し、逆方向リンク（又はアップリンク）は、モバイルデバイスから基地局への通信リンクを意味する。さらに、モバイルデバイスと基地局との間における通信は、単入力単出力（ＳＩＳＯ）システム、多入力単出力（ＭＩＳＯ）システム、多入力多出力（ＭＩＭＯ）システム、等を介して確立することができる。さらに、モバイルデバイスは、ピア・ツー・ピア無線ネットワーク構成におけるその他のモバイルデバイス（及び／又はその他の基地局を有する基地局）と通信することができる。
【０００４】
ＭＩＭＯシステムは、共通して、複数（ＮＴ）の送信アンテナ及び複数（ＮＲ）の受信アンテナをデータ送信に関して採用する。これらのアンテナは、基地局及びモバイルデバイスの両方に関連することができ、一例においては、無線ネットワーク上におけるデバイス間の双方向通信を可能にする。モバイルデバイスは、所在位置、資源上の要求事項、電力状態、基地局の範囲内での移動、等に依存してアクティブ状態、アイドル状態、及び／又はその他の状態において動作することができる。モバイルデバイスは、状態間で切り替わることができ、この切り替えは、接続の確立、コアネットワーク構成要素に関する再権限付与、等を要求する可能性がある。接続を確立するためのメッセージは、典型的には、第３世代パートナーシッププロジェクト（３ＧＰＰ）ネットワーク、３ＧＰＰロング・ターム・エボリューション（ＬＴＥ）ネットワーク、等においては単一のフレームが割り当てられ、単一フェーズ（ｐｈａｓｅ）接続手順が考慮される。
【発明の概要】
【０００５】
以下は、１つ以上の実施形態についての基本的な理解を可能にすることを目的としてこれらの実施形態の単純化された概要を示すものである。この概要は、すべての企図される実施形態を広範囲にわたって概説したものではなく、さらに全実施形態の主要な又は極めて重要な要素を識別すること及びいずれかの又はすべての実施形態の適用範囲を詳細に説明することのいずれも意図されていない。以下の説明の唯一の目的は、後述される発明を実施するための形態の準備段階として１つ以上の実施形態の幾つかの概念を単純な形で提示することである。
【０００６】
１つ以上の実施形態及び対応するその開示により、１つ以上のアクセスポイントとの選択可能多ステップ接続確立を提供するのを容易にすることと関係させて様々な側面が説明される。例えば、単一ステップ接続確立手順を利用することができ、さらに、単一ステップ手順が要求される又は希望される権限付与データを送信する上で不十分である場合は、多ステップ手順を選択することができる。一例においては、前記接続確立手順は、接続手順に対して割り当てられた単一の送信時間間隔（ＴＴＩ）よりも大きいＴＴＩを要求することができる非アクセス層（ＮＡＳ）メッセージを要求することができる。この点に関して、多ステップ手順は、後続する要求において追加データを送信するために利用することができる。
【０００７】
関連する側面により、無線通信ネットワークにおいてアクセスポイントとの接続を確立するための方法が提供される。前記方法は、無線資源制御（ＲＲＣ）層において接続を確立することに関連する初期パラメータを送信することを含むことができる。前記方法は、ユーザープレーンデータ接続を確立するための追加パラメータを前記追加パラメータの要求に少なくとも部分的に基づいて生成することと、前記ユーザープレーンデータ接続を確立するために前記ＲＲＣ層を通じて前記追加パラメータを送信すること、とを含むこともできる。
【０００８】
他の側面は、無線通信装置に関連する。前記無線通信装置は、無線資源制御（ＲＲＣ）層において接続を確立することに関連する初期パラメータを送信し、ユーザープレーンデータ接続を確立するための追加パラメータを前記追加パラメータの要求に少なくとも部分的に基づいて生成し、及び前記ユーザープレーンデータ接続を確立するために前記ＲＲＣ層を通じて前記追加パラメータを送信するように構成された少なくとも１つのプロセッサを含むことができる。前記無線通信装置は、前記少なくとも１つのプロセッサに結合されたメモリを含むこともできる。
【０００９】
さらに他の側面は、無線通信ネットワークにおいて選択式多フェーズ接続確立を用いる無線通信装置に関連する。前記無線通信装置は、無線資源制御（ＲＲＣ）層において接続を確立することに関連する初期パラメータを送信するための手段を含むことができる。前記無線通信装置は、ユーザープレーンデータ接続を確立するための追加パラメータを前記追加パラメータの要求に少なくとも部分的に基づいて生成するための手段と、前記ユーザープレーンデータ接続を確立するために前記ＲＲＣ層を通じて前記追加パラメータを送信するための手段と、をさらに含むことができる。
【００１０】
さらに他の側面は、コンピュータプログラム製品に関連し、前記コンピュータプログラム製品は、無線資源制御（ＲＲＣ）層において接続を確立することに関連する初期パラメータを送信することを少なくとも１つのコンピュータに行わせるための符号を含むコンピュータによって読み取り可能な媒体を有することができる。前記コンピュータによって読み取り可能な媒体は、ユーザープレーンデータ接続を確立するための追加パラメータを前記追加パラメータの要求に少なくとも部分的に基づいて生成することを前記少なくとも１つのコンピュータに行わせるための符号をさらに備えることができる。さらに、前記コンピュータによって読み取り可能な媒体は、前記ユーザープレーンデータ接続を確立するために前記ＲＲＣ層を通じて前記送信パラメータを送信することを前記少なくとも１つのコンピュータに行わせるための符号を含むことができる。  
さらなる側面により、無線通信ネットワークにおけるモバイルデバイスに関するユーザープレーン接続を容易にするための方法が提供される。前記方法は、モバイルデバイスに関するユーザープレーン接続をネットワークデバイスに要求する一部として初期パラメータを前記ネットワークデバイスに送信することを備えることができる。さらに、前記方法は、追加のモバイルデバイスパラメータの要求を前記ネットワークデバイスから受信することと、追加のモバイルデバイスパラメータの前記要求を前記モバイルデバイスに送信すること、とを含むことができる。
【００１１】
さらなる側面は、無線通信装置に関連する。前記無線通信装置は、モバイルデバイスに関するユーザープレーン接続をネットワークデバイスに要求する一部として初期パラメータを前記ネットワークデバイスに送信し、追加のモバイルデバイスパラメータの要求を前記ネットワークデバイスから受信し、及び追加のモバイルデバイスパラメータの前記要求を前記モバイルデバイスに送信するように構成された少なくとも１つのプロセッサを含むことができる。前記無線通信装置は、前記少なくとも１つのプロセッサに結合されたメモリを含むこともできる。
【００１２】
さらなる側面は、モバイルデバイスに関する多フェーズユーザープレーン接続を確立するための無線通信装置に関連する。前記無線通信装置は、モバイルデバイスに関するユーザープレーン接続をネットワークデバイスに要求する一部として初期パラメータを前記ネットワークデバイスに送信するための手段と、追加のモバイルデバイスパラメータの要求を前記ネットワークデバイスから受信するための手段と、を備えることができる。前記無線通信装置は、追加のモバイルデバイスパラメータの前記要求を前記モバイルデバイスに送信するための手段をさらに含むことができる。
【００１３】
さらに他の側面は、コンピュータプログラム製品に関連し、前記コンピュータプログラム製品は、モバイルデバイスに関するユーザープレーン接続をネットワークデバイスに要求する一部として初期パラメータを前記ネットワークデバイスに送信することを少なくとも１つのコンピュータに行わせるための符号を含むコンピュータによって読み取り可能な媒体を有することができる。前記コンピュータによって読み取り可能な媒体は、追加のモバイルデバイスパラメータの要求を前記ネットワークデバイスから受信することを前記少なくとも１つのコンピュータに行わせるための符号を含むこともできる。さらに、前記コンピュータによって読み取り可能な媒体は、追加のモバイルデバイスパラメータの前記要求を前記モバイルデバイスに送信することを前記少なくとも１つのコンピュータに行わせるための符号を備えることができる。
【００１４】
上記の目的及び関連する目的を完遂させるために、前記１つ以上の前記実施形態は、以下において十分に説明され、請求項において特に強調される特徴を備える。以下の説明及び添付図面は、前記１つ以上の実施形態の一定の例示的側面を詳述するものである。しかしながら、これらの側面は、様々な実施形態の原理を採用することができる様々な方法のうちのほんのわずかを示しており、前記説明される実施形態は、これらのすべての側面及びその同等の側面を含むことが意図されている。
【図面の簡単な説明】
【００１５】
【図１】ここにおいて説明される様々な側面による無線通信システムを示した図である。
【図２】無線通信環境において用いるための通信装置例を示した図である。
【図３】選択式多フェーズ接続確立を有効にする無線通信システム例を示した図である。
【図４】様々な通信構成要素を有する無線通信ネットワーク例を示した図である。
【図５】単一フェーズ又は多フェーズ接続確立を選択するのを容易にする方法例を示した図である。
【図６】ユーザープレーン接続を確立するための資源を割り当てるのを容易にする方法例を示した図である。
【図７】フェーズ選択可能接続確立に関するパラメータ生成を容易にするモバイルデバイス例を示した図である。
【図８】デバイスに関する多フェーズ接続を確立するのを容易にするシステム例を示した図である。
【図９】ここにおいて説明される様々なシステム及び方法と併用することができる無線ネットワーク環境例を示した図である。
【図１０】無線通信ネットワークとの多フェーズ接続を確立するシステム例を示した図である。
【図１１】デバイスに関する多フェーズ接続を確立するためにデバイスと通信するシステム例を示した図である。
【発明を実施するための形態】
【００１６】
次に、図面を参照して様々な実施形態が説明され、同一のものについては全図面に渡って同一の参照数字を付すこととする。以下では、説明の目的上、１つ以上の実施形態について徹底的に理解できるようにするために数多くの具体的な詳細が示される。しかしながら、該実施形態は、これらの具体的な詳細なしで実践できることが明確であろう。その他の事例においては、１つ以上の実施形態に関する説明を容易にするためによく知られた構造及びデバイスがブロック図形で示される。
【００１７】
本出願において用いられる「構成要素」、「モジュール」、「システム」、等の用語は、ハードウェア、ファームウェア、ハードウェアとソフトウェアの組み合わせ、ソフトウェア、実行中のソフトウェアのいずれであるかにかかわらず、コンピュータに関連するエンティティを指すことが意図される。例えば、構成要素は、プロセッサ上で実行中のプロセス、プロセッサ、オブジェクト、エクセキュータブル、実行スレッド、プログラム、及び／又はコンピュータであることができるが、これらに限定されない。一例として、計算デバイスにおいて実行中のアプリケーション及びその計算デバイスの両方が構成要素であることができる。プロセス及び／又は実行スレッド内には１つ以上の構成要素が常駐することができ、構成要素は、１つのコンピュータ上に局在化する及び／又は２つ以上のコンピュータ間で分散させることができる。さらに、これらの構成要素は、様々なデータ構造が格納されている様々なコンピュータによって読み取り可能な媒体から実行可能である。これらの構成要素は、ローカル及び／又は遠隔プロセスによって、例えば１つ以上のデータパケット（例えば、ローカルシステム又は分散型システム内の他の構成要素と、及び／又はインターネット等のネットワークを通じて信号を用いてその他のシステムと対話中の構成要素からのデータ）を有する信号に従って通信することができる。
【００１８】
さらに、ここにおいては、様々な実施形態がモバイルデバイスと関係させて説明される。モバイルデバイスは、システム、加入者ユニット、加入者局、移動局、モバイル、遠隔局、遠隔端末、モバイルデバイス、ユーザー端末、端末、無線通信デバイス、ユーザーエージェント、ユーザーデバイス、又はユーザー装置（ＵＥ）と呼ぶことも可能である。モバイルデバイスは、携帯電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、計算デバイス、又は無線モデムに接続されたその他の処理デバイスであることができる。さらに、ここにおいては様々な実施形態が基地局と関係させて説明される。基地局は、モバイルデバイスと通信するために利用することができ、アクセスポイント、ノードＢ、ｅｖｏｌｖｅｄＮｏｄｅＢ（ｅＮｏｄｅＢ又はｅＮＢ）、基地トランシーバ局（ＢＴＳ）又はその他の用語で呼ぶことも可能である。
【００１９】
さらに、ここにおいて説明される様々な側面又は特徴は、標準的なプログラミング及び／又はエンジニアリング技法を用いて製造方法、製造装置、又は製造品として実装することができる。ここにおいて用いられる“製造品”という表現は、コンピュータによって読み取り可能なデバイス、キャリヤ、又は媒体からアクセス可能なコンピュータプログラムを包含することが意図される。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、ＥＰＲＯＭ、カード、スティック、キードライブ）と、を含むことができるが、これらに限定されない。さらに、ここにおいて説明される様々な記憶媒体は、情報を格納するための１つ以上のデバイス及び／又はその他の機械によって読み取り可能な媒体を表すことができる。“機械によって読み取り可能な媒体”という表現は、限定されることなしに、無線チャネル及び命令及び／又はデータを格納、内蔵、及び／又は搬送することができるその他の様々な媒体を含むことができる。
【００２０】
今度は図１に関して、ここにおいて提示される様々な実施形態による無線通信システム１００が示される。システム１００は、複数のアンテナグループを含むことができる基地局１０２を備える。例えば、１つのアンテナグループは、アンテナ１０４と１０６とを含むことができ、他のグループは、アンテナ１０８と１１０とを含むことができ、追加のグループは、アンテナ１１２と１１４とを含むことができる。各アンテナグループに関して２本のアンテナが示される。しかしながら、各グループに関してそれより多い又は少ないアンテナを利用することができる。当業者によって明確に理解されるように、基地局１０２は、送信機チェーンと受信機チェーンとをさらに含むことができ、これらの各々は、信号の送信及び受信と関連する複数の構成要素（例えば、プロセッサ、変調器、マルチプレクサ、復調器、デマルチプレクサ、アンテナ、等）を備えることができる。
【００２１】
基地局１０２は、１つ以上のモバイルデバイス、例えばモバイルデバイス１１６及びモバイルデバイス１２２、と通信することができる。しかしながら、基地局１０２は、モバイルデバイス１１６及び１２２に類似する実質上あらゆる数のモバイルデバイスと通信できることが明確に理解されるべきである。モバイルデバイス１１６及び１２２は、例えば、携帯電話、スマートフォン、ラップトップ、ハンドヘルド通信デバイス、ハンドヘルド計算デバイス、衛星無線、全地球測位システム、ＰＤＡ、及び／又は無線通信システム１００を通じて通信するためのその他の適切なデバイスであることができる。描かれるように、モバイルデバイス１１６は、アンテナ１１２及び１１４と通信し、アンテナ１１２及び１１４は、順方向リンク１１８を通じてモバイルデバイス１１６に情報を送信し、逆方向リンク１２０を通じてモバイルデバイス１１６から情報を受信する。さらに、モバイルデバイス１２２は、アンテナ１０４及び１０６と通信し、アンテナ１０４及び１０６は、順方向リンク１２４を通じてモバイルデバイス１２２に情報を送信し、逆方向リンク１２６を通じてモバイルデバイス１２２から情報を受信する。周波数分割複信（ＦＤＤ）システムにおいては、順方向リンク１１８は、逆方向リンク１２０によって用いられるのとは異なる周波数帯域を利用することができ、順方向リンク１２４は、例えば逆方向リンク１２６によって採用されるのとは異なる周波数帯域を採用することができる。さらに、時分割複信（ＴＤＤ）システムにおいては、順方向リンク１１８及び逆方向リンク１２０は、共通の周波数帯域を利用することができ、順方向リンク１２４及び逆方向リンク１２６は、共通の周波数帯域を利用することができる。
【００２２】
各アンテナグループ及び／又はこれらのアンテナが通信するように指定されているエリアは、基地局１０２のセクターと呼ぶことができる。例えば、アンテナグループは、基地局１０２によって網羅されたエリアのセクター内のモバイルデバイスに通信するように設計することができる。順方向リンク１１８及び１２４における通信においては、基地局１０２の送信アンテナは、モバイルデバイス１１６及び１２２に関する順方向リンク１１８及び１２４の信号対雑音比を向上させるためにビーム形成を利用することができる。さらに、基地局１０２は、関連するカバレッジ全体にわたって無作為に散在するモバイルデバイス１１６及び１２２に送信するためにビーム形成を利用する一方で、近隣セル内のモバイルデバイスは、単一のアンテナを通じて全モバイルデバイスに送信する基地局と比較してより少ない干渉を受けるようになることができる。さらに、モバイルデバイス１１６及び１２２は、描かれるようにピア・ツー・ピア又はアドホック技術を用いて他のモバイルデバイスと直接通信することができる。
【００２３】
一例により、システム１００は、多入力多出力（ＭＩＭＯ）通信システムであることができる。さらに、システム１００は、通信チャネル（例えば、順方向リンク、逆方向リンク、等）を分割するために実質上あらゆるタイプの二重化技法、例えばＦＤＤ、ＴＤＤ、等を利用することができる。通信チャネルは、一例においては１つ以上の論理チャネルを備えることができる。モバイルデバイス１１６及び１２２は、接続要求を用いて通信チャネル及び／又は追加資源を要求するために（資源の送信を希望して基地局の範囲内において移動すること、等によって）アイドル状態からアクティブ状態に切り替わって基地局１０２に接続することができる。これは、シグナリングプレーンにおける無線ベアラの確立、再構成、及びリリースを処理するモバイルデバイス１１６及び１２２の無線資源制御（ＲＲＣ）層において行うことができる。接続が確立された時点で、信号データ転送が生じることができる。他の例においては、単一フェーズ接続は、ユーザープレーンデータ転送を開始する上でも十分であることができる。
【００２４】
しかしながら、幾つかの場合においては、接続要求とともに追加情報、例えば、非アクセス層（ＮＡＳ）メッセージ、再権限付与情報、及び／又は追加パラメータを送信するのが望ましいことがある。同様に、上述されるシグナリング接続設定に関して割り当てられた単一の送信時間間隔（ＴＴＩ）は、希望されるパラメータを送信するための十分な時間を与えられない場合がある。従って、初期接続要求メッセージをモバイルデバイス１１６及び／又は１２２から基地局１０２に送信することができ、後続して追加情報を備える追加メッセージをモバイルデバイス１１６及び／又は１２２から基地局１０２に送信することができる多ステップ接続手順を選択することができる。情報が送信された後は、基地局１０２は、後続するユーザープレーンデータ転送を可能にする接続設定確認をモバイルデバイス１１６及び／又は１２２に送信することができる。
【００２５】
一例においては、基地局１０２は、モバイルデバイス１１６及び／又は１２２からの要求に基づいて１つ以上の異種のネットワーク構成要素（示されていない）に接続要求を送信することができる。例えば、要求は、アイデンティティ、移動性データ、その他のセキュリティパラメータ、等を含むことができるＵＥコンテキストを管理及び格納する移動性管理エンティティ（ＭＭＥ）、又は同様の構成要素、に送信することができる。ＭＭＥは、一例においては、基地局１０２に検証を戻し及び／又は送信すべき初期ダウンリンクメッセージをモバイルデバイス１１６及び／又は１２２に送信してモバイルデバイス１１６及び／又は１２２及び／又は基地局１０２が追加データ（例えば、再権限付与パラメータ、及び／又はＮＡＳメッセージに入れることができるその他のパラメータ）を送信するのを可能にすることができる。引き続き、モバイルデバイス１１６及び／又は１２２及び／又は基地局１０２は、追加情報を送信すること及び引き続くユーザーデータ転送を可能にする接続設定メッセージを受信することができる。
【００２６】
図２に関して、無線通信環境において用いるための通信装置２００が示される。通信装置２００は、基地局又はその一部分、モバイルデバイス又はその一部分、又は、無線通信環境においてデータを送信する及び／又は送信されたデータを受信する実質上あらゆる通信装置であることができる。通信装置２００は、初期接続メッセージ、例えば、ＲＲＣメッセージ、を生成することができる初期接続メッセージ生成器２０２と、接続確立において送信すべき追加のパラメータ又はメッセージ、例えば、ＮＡＳメッセージ、再権限付与メッセージ、等、を生成することができる追加メッセージ生成器２０４と、これらの異種メッセージを１つ以上のアクセスポイントにブロードキャストすることができる送信機２０６と、を含むことができる。
【００２７】
一例においては、通信装置２００は、通信データを送信するために１つ以上のアクセスポイントと接続するのを試みていることができる。通信装置２００は、送信機２０６を利用して１つ以上のアクセスポイントにプリアンブル通信を送信することができる。この結果、アクセスポイントに関する初期アップリンクアクセス許可を受信することができる。これで、初期接続メッセージ生成器２０２を利用して、例えばＲＲＣ層において無線資源を取得するための接続確立要求、例えばＲＲＣメッセージ、を生成することができる。初期接続メッセージは、送信機２０６を用いてアクセスポイントに送信することができる。しかしながら、幾つかの場合においては、無線通信構成においては初期メッセージのサイズを制限することができ、例えば、単一のＴＴＩに制限することができるＲＲＣメッセージ、等である。従って、追加情報を希望すること及び／又は要求することができる。
【００２８】
この場合は、通信装置２００は、追加メッセージ生成器２０４を用いて、通信中のアクセスポイント又は他の構成要素に送信すべき追加パラメータ又はその他のデータを備えるメッセージを生成することによって多ステップ接続確立を利用することができる。一例においては、追加メッセージ生成（又は送信機２０６による送信）は、例えば初期接続メッセージが受信されたこと、ネットワーク構成要素（示されていない）に送信されたこと、ネットワーク構成要素から応答を受信したこと、等を示す初期ダウンリンクメッセージをアクセスポイントから受信することに基づいて生じることができることが明確に理解されるべきである。ダウンリンクメッセージは、例えば追加メッセージを送信するための資源も備えることができる。追加メッセージは、一例においてはＮＡＳメッセージを備えることができ、ＮＡＳメッセージは、通信装置２００とネットワーク構成要素との間の通信を可能にし及び送信のために通信装置２００によって希望することができるか又は一例においては下流ネットワーク構成要素によって要求することができる。ＮＡＳメッセージは、一例においては、サービス要求メッセージ、トラッキングエリア更新要求メッセージ、通信装置２００又はユーザー／ＵＥコンテキストを検証又は送信するために利用されるメッセージ、識別、権限付与情報、等であることができる。
【００２９】
さらに、追加メッセージは、通信装置２００とネットワーク構成要素との間における再権限付与及び／又はセキュリティの再構成を容易にするために利用することができ、一例においては、アクセスポイントは、構成要素と装置２００との間における通信を容易にするために利用することができる。例えば、ネットワークは、セッション時間の満了、接続喪失、状態変化、異種基地局へのハンドオーバー、等を含む幾つかの理由で再権限付与及び／又はセキュリティ再構成を要求することができる。この点に関して、追加メッセージ生成器２０４を利用して要求又は要請されるセキュリティ／再権限付与情報を生成することができ、及びその情報を送信機２０６によって（例えば、アクセスポイントを介して）ネットワーク構成要素に送信することができる。他の構成においては、例えばネットワークがＵＥ又は通信装置２００及び／又はそれと関連づけられた通信セッションに関する異なる情報を表すコンテキストを必要とする場合は、追加メッセージを利用してＵＥ又は通信装置２００のコンテキストを再同期化することができる。
【００３０】
通信装置２００は、受信された追加通信要求、無線通信ネットワークの１つ以上のネットワーク構成要素によって要求される情報に関して行われた推論、等を含む様々な要因に依存して単一フェーズ又は多フェーズ接続確立を選択できることが明確に理解されるべきである。例えば、通信を確立することができる前に１つ以上の追加メッセージを要求する通信装置２００に対してネットワーク構成要素から（例えば、アクセスポイントを通じて）メッセージを通信することができる。これは、例えば、初期接続メッセージ送信に引き続いて生じることができる。通信装置２００が単一フェーズ又は多フェーズ接続確立のいずれを選択するかにかかわらず、結果的は、（例えばネットワーク構成要素からの）接続設定状態に従うユーザープレーンデータ転送であることができる。
【００３１】
次に図３に関して、単一ステップ又は多ステップ選択可能通信接続確立を利用することができる無線通信システム３００が示される。システム３００は、無線通信サービスを容易にするためにモバイルデバイス３０４（及び／又はあらゆる数の異種モバイルデバイス（示されていない））と通信することができる基地局３０２を含む。基地局３０２は、順方向リンクチャネルにおいてモバイルデバイス３０４に情報を送信することができ、さらに、基地局３０２は、逆方向リンク又はアップリンクチャネルにおいてモバイルデバイス３０４から情報を受信することができる。さらに、基地局３０２は、モバイルデバイス３０４と通信すること及びそれにサービスを提供することを容易にするためにコアネットワーク構成要素３０６にデータを送信し及びコアネットワーク構成要素３０６からデータを受信することができる。一例においては、コアネットワーク構成要素３０６は、ＭＭＥであることができる。さらに、システム３００は、ＭＩＭＯシステムであることができる。さらに、システム３００は、ＯＦＤＭＡ無線ネットワーク（例えば、３ＧＰＰ、３ＧＰＰ  ＬＴＥ、等）において動作することができる。さらに、以下に示されて説明される基地局３０２内の構成要素及び機能は、一例においてはモバイルデバイス３０４にも存在することができ及びその逆も可能であり、描かれる構成は、説明を簡単にすることを目的としてこれらの構成要素を除外している。
【００３２】
基地局３０２は、コアネットワーク構成要素３０６を用いてモバイルデバイス３０４に関する接続確立を要求することができる接続要求器３０８と、接続確立を促進するために追加情報又はパラメータをモバイルデバイス３０４に要求することができる追加メッセージ要求器３１０と、接続確立状態をモバイルデバイス３０４に戻すことができる接続状態指定器３１２と、を含む。一例においては、接続要求器３０８は、モバイルデバイス３０４からの接続確立要求に応答してモバイルデバイス３０４に関する情報をコアネットワーク構成要素３０６に要求することができる。接続を確立するための追加情報が要求される場合は、追加メッセージ要求器３１０は、例えば、情報を要求すること又は情報を送信するようにモバイルデバイス３０４をプロンプトすることができる。接続状態指定器３１２は、例えば接続確立が完了している、時間切れが生じた、等のときにモバイルデバイス３０４に接続状態を送信することができる。
【００３３】
モバイルデバイス３０４は、接続確立メッセージ、例えばＲＲＣメッセージ、を生成する初期メッセージ生成器３１４と、追加の接続関連パラメータ（例えば、セキュリティ、コンテキスト、アイデンティティパラメータ、等）を送信することができる追加メッセージ生成器３１６と、接続確立要求とともに追加情報を送信する必要性に少なくとも部分的に基づいて単一フェーズ又は多フェーズ接続確立を選択することができる接続フェーズ選択器３１８と、を含む。例えば、（例えば、アイドル状態からアクティブ状態への状態変化の結果として）基地局３０２との通信確立を要求した時点で、初期メッセージ生成器３１４は、（例えば、１つ以上のＴＴＩに）サイズを制限することができる接続確立メッセージ、例えばＲＲＣメッセージ、を生成し、そのメッセージを基地局３０２に送信することができる。追加情報が希望されるか又は要求される場合は、接続フェーズ選択器３１８は、多フェーズ接続確立を選択することができ、追加メッセージ生成器３１６は、追加メッセージを基地局に送信する追加パラメータを有するメッセージを生成することができる。これは、一例おいては基地局３０２からの追加データ要求に基づいて実行できることが明確に理解されるべきである。
【００３４】
一例により、モバイルデバイス３０４は、初期メッセージ生成器３１４を利用して初期接続メッセージを生成して基地局３０２に送信することができる。この点に関して、モバイルデバイス３０４は、基地局３０２との接続を確立するのを試みることができる。基地局３０２は、接続要求器３０８を利用して、モバイルデバイス３０４を初期設定し、コアネットワーク構成要素３０６によってモバイルデバイス３０４を認証し、及び／又はメディアレベル（例えば、ＲＲＣ層）の通信資源を提供することができる。基地局３０２は、コアネットワーク構成要素３０６との通信を有するモバイルデバイス３０４に関する情報を送信できることが明確に理解されるべきである。例えば、基地局３０２は、モバイルデバイス３０４に関するアイデンティティ、コンテキスト、セキュリティパラメータ、等をコアネットワーク構成要素３０６に送信することができる。送信された情報が基地局３０２及び／又はコアネットワーク構成要素３０６にとって十分である場合及び／又は接続フェーズ選択器が単一フェーズ接続確立を選択している場合は、接続状態指定器３０８は、接続状態をモバイルデバイス３０４に戻すことができる。これは、一例においてはコアネットワーク構成要素３０６から受信された情報に少なくとも部分的に基づくことができる。
【００３５】
一例により、コアネットワーク構成要素３０６は、接続確立を許可する前にモバイルデバイス３０４からの追加情報を希望することができ、又はモバイルデバイス３０４は、追加情報、例えば、サービス要求又はサービス要求メッセージ、トラッキングエリア更新要求メッセージ、等、を送信するのを希望することができる。これは、初期接続メッセージに関する許容された送信サイズが存在しない結果であることができる。従って、コアネットワーク構成要素３０６は、基地局に要求を戻すことができ、基地局は、追加メッセージ要求器３１０を利用して追加情報要求をモバイルデバイス３０４に通知することができる。要求は、明示であることができ又は単にインジケータ、ブール変数、等であることができる。モバイルデバイス３０４が追加情報を送信するのを希望する場合は、（例えば、ＮＡＳメッセージにおけるように）接続設定要求に追加情報を付加する（ｐｉｇｇｙｂａｃｋ）ことができる。さらに、基地局３０２は、モバイルデバイス３０４が追加情報を送信するための資源をスケジューリングすることを備えるダウンリンクメッセージを送信することができる。例えば、接続フェーズ選択器３１８は、上記のうちの１つ以上に少なくとも部分的に基づいて多フェーズ接続確立を指定することができる。多フェーズが選択された時点で、追加メッセージ生成器３１６は、基地局３０２への送信のための追加情報を備えるメッセージを生成することができる。
【００３６】
一例においては、追加情報は、基地局３０２を通じてコアネットワーク構成要素３０６に送信することができるＮＡＳメッセージの形態であることができる。メッセージは、モバイルデバイス３０４に関する再認証又はセキュリティ再構成、例えば、上述されるようなモバイルデバイス３０４コンテキスト再同期化、等、に関連することができる。一例においては、コアネットワーク構成要素３０６は、モバイルデバイス３０４がアイドル状態からアクティブ状態に移行する場合にモバイルデバイス３０４を再認証することができ、該再認証は、例えば、セキュリティコンテキストが満了している、リフレッシュを必要とする、等の場合はユーザープレーンデータ転送前に要求することができ、及び上述されるように追加メッセージ要求器３１０を通じて要求することができる。他の例においては、コアネットワーク構成要素３０６は、モバイルデバイス３０４に関するコンテキストをなくしている可能性があり、基地局３０２にそのコンテキストを要求することができる。この例においては、基地局３０２は、追加メッセージ要求器３１０を利用してコンテキスト要求をモバイルデバイス３０４に送信することができ、及び前述されるようにコンテキストを追加メッセージとして送信することができる。
【００３７】
上例に鑑みて、単一フェーズ接続確立は、基地局３０２とモバイルデバイス３０４との間において通信接続及び資源を確立することを提供することができ、ここでは初期情報が希望される及び／又は要求される全情報である。しかしながら、接続フェーズ選択器３１８は、基地局３０２、モバイルデバイス３０４、及び／又はコアネットワーク構成要素３０６から追加情報が希望される場合は多フェーズ接続確立を選択することができる。いずれの場合においても、単一フェーズは、モバイルデバイス３０４と基地局３０２との間におけるシグナリングに関する無線ベアラを初期設定するために利用することができる。多フェーズ接続確立においては、追加情報は、ユーザープレーン無線ベアラを初期設定するために利用することができる。確立された時点で、ユーザープレーンデータ転送が生じることができる。
【００３８】
次に図４に関して、接続確立に関する無線通信ネットワーク例４００が示される。ＵＥ４０２は、ｅＮＢ４０４への接続を試みている状態が示される。ｅＮＢ４０４は、コアネットワークＭＭＥ  ４０６を利用して、情報を収集及び利用し及び／又はＵＥ又はそのユーザーを認証することができる。上述されるように、ＭＭＥ４０６は、ＵＥ／ユーザーを認証するために利用することができ及び高速接続確立を可能にするためのコンテキストを保存することができる。この例においては、ＵＥ４０２は、アクセスプリアンブルをｅＮＢ４０６に送信することができる。これは、接続確立のための追加データを送信するのを容易にする幾つかのアップリンク資源の入手要求であることができる。ｅＮＢ４０４は、例えばｅＮＢが十分な利用可能資源を有する場合は示されるようにアップリンクアクセス許可をＵＥ４０２に送信することができる。ＵＥ４０２は、初期接続メッセージ、例えば示されるようなＲＲＣ接続設定メッセージ、を生成し、許可された資源を用いてそのメッセージをｅＮＢ４０４に送信することができる。メッセージを受信した時点で、ｅＮＢ４０４は、ＵＥ４０２に関する接続要求をＭＭＥ４０６に送信することができる。ｅＮＢ４０４は、ＵＥ４０２に関する実質的にどのような情報もＭＭＥ４０６への要求の中に含めることができることが明確に理解されるべきである。
【００３９】
ＭＭＥ４０６は、一例においては（例えばセキュリティコンテキストを検証するために）ＵＥ４０２情報を解析すること及びオプションで、接続を確立するために追加情報（例えば、追加のセキュリティコンテキスト情報、認証初期設定、等）が要求されることを示すことができる、ＵＥ４０２へのＮＡＳメッセージを、ｅＮＢ４０４を介して送信することができる。さらに、ＮＡＳメッセージは、オプションで、追加で要求されたパラメータをＵＥ４０２に通知するために用いることができるＲＲＣ接続設定−１メッセージに付加することができる。さらに、ＲＲＣ接続設定−１メッセージは、無線シグナリングに関するスケジューリングされたメディアアクセス制御（ＭＡＣ）資源を提供することができる。これらのメッセージは必須ではないが、この構成を利用することは、追加のシグナリング又はパラメータが要求されているのをｅＮＢ４０４が知っているのを可能にすることができ、及びＵＥ４０２に関するさらなる資源を確立せずにＵＥ４０２に情報を送信できることが明確に理解されるべきである。
【００４０】
初期無線シグナリング資源確立に引き続き、追加の情報又はシグナリングが希望される場合は、ＵＥ４０２は、ｅＮＢ４０４を介してＭＭＥ４０６に情報を送信するためにシグナリング無線ベアラを用いることができ、例えば、これは、ＮＡＳメッセージを用いて達成させることができる。一例においては、ＵＥ４０２は、ｅＮＢ４０４がＵＥ４０２に対して不要な資源を割り当てないようにシグナリング無線ベアラに関するバッファ状態を送信することができる。送信される追加情報は、追加のセキュリティ又は認証パラメータ、再権限付与パラメータ、ＵＥ４０２コンテキストに関連するパラメータ、例えばアイデンティティ、等のうちの１つ以上であることができる。他の例においては、シグナリングは、ＵＥ４０２を通常のデータスケジューリングモードにする初期ダウンリンクメッセージから受け取られた追加資源を用いて送信される再権限付与コマンドであることができる。
【００４１】
示される認証手順の第２のフェーズに引き続き、シグナリング無線ベアラを利用して送信された情報が要求どおりである場合は、ＭＭＥ４０６は、ＵＥ４０２に関して接続設定メッセージをｅＮＢ４０４に送信することができる。ｅＮＢ４０４は、接続を確立するためにＵＥ４０２に関する追加資源を確立し及びＲＲＣ接続設定−２メッセージを送信することができる。引き続き、ＵＥ４０２とＭＭＥ４０６との間においてユーザーデータ転送が生じることができる。
【００４２】
他の例においては、ＵＥ４０２は、初期ＲＲＣ接続設定メッセージに後続して初期ダウンリンクメッセージを受信してＵＥ４０２を通常のデータスケジューリングモード（示されていない）にすることができ、ＵＥ４０２は、後続して、シグナリングの代わりにｅＮＢ４０４からのダウンリンクメッセージにおいて割り当てられた資源を用いて直接ＭＭＥ４０６に情報を送信することができる。これは、例えば、ＵＥ４０２が、必ずしもＭＭＥ４０６からの要求なしに（例えば、サイズ制限に起因して）初期ＲＲＣ接続設定メッセージにおいて送信することができる以上の情報を送信するのを希望する場合であることができる。一例においては、これは、ＮＡＳメッセージ、例えばサービス要求メッセージ又はトラッキングエリア更新要求メッセージ、を含むことができる。情報は、ユーザーデータ転送が生じることができる前に送信できるが、オプション通信として示されている追加のＮＡＳメッセージ、ＲＲＣ接続設定−１メッセージ、又はシグナリングは要求することができず、従って、接続要求に引き続いてこれらのメッセージの代わりに生じることができる。代替として、追加情報、又はその一部分は、ＲＲＣ接続設定メッセージに付加することができる。一例においては、ｅＮＢ４０４は、ＵＥ４０２がＲＲＣ接続設定メッセージへのＮＡＳメッセージに付加されていることを検出することができ及びＲＲＣ接続設定−１メッセージを送信する前にＭＭＥ４０６からのＮＡＳメッセージ転送を待つことができる。ＲＲＣ接続設定−１メッセージに付加されているＮＡＳメッセージが存在しない場合は、ｅＮＢ４０４は、資源を確立し次第ＵＥ４０２にＲＲＣ接続設定−１メッセージを送信することができる。上例により、多フェーズ接続確立手順を利用することができる。
【００４３】
図５及び６に関して、無線通信ネットワークにおいて選択式フェーズ通信確立を提供することに関連する方法が示される。説明を単純化することを目的として、これらの方法は一連の行為として示されて説明される一方で、幾つかの行為は、１つ以上の実施形態により、ここにおいて示されて説明される順序と異なる順序で及びその他の行為と同時並行して生じることができるため、これらの方法は行為の順序によって限定されないことが理解及び評価されるべきである。例えば、方法は例えば状態図内におけるように一連の相互に関連する状態又はイベントとして代替で表すことが可能であることを当業者は理解及び評価するであろう。さらに、１つ以上の実施形態に従って方法を実装するためにすべての例示される行為が要求されるわけではない。  
図５に関して、無線通信ネットワークにおける多フェーズ接続確立を容易にする方法５００が示される。５０２において、初期通信確立要求を送信することができる。この要求は、要求器に関する情報を備えることができ及び１つ以上のネットワーク層、例えばＲＲＣ層、において行うことができる。この点に関して、初期通信は、追加データを通信するために必要な資源を確立することができる。５０４において、多フェーズ接続確立が選択されたかどうかに関する決定が行われる。一例においては、初期通信確立要求は、通信を確立する上で十分であることができる。しかしながら、他の例においては、より多くの情報を要求することができる。例えば、初期通信確立要求が小さすぎる場合又は下流ネットワーク構成要素が前述されるように追加情報を要求する場合に追加情報送信希望に対処するために多フェーズ選択を行うことができる。
【００４４】
（例えば、追加の情報又はパラメータが希望される／要求されることを理由に）多フェーズ接続確立が選択された場合は、５０６において、通信確立要求に関連する追加パラメータが生成される。例えば、上述されるように、これらのパラメータは、ネットワークに関する再権限付与、コンテキストの再同期化、セキュリティパラメータの再構成、アイデンティティの提供、等に関連することができる。一例においては、許容された初期通信確立要求サイズは、追加パラメータを送信する上で不十分である可能性があり、従って、５０８において多フェーズが選択されてパラメータが送信される。引き続き、接続を確立することができ、５１０において、ユーザープレーンデータ転送が開始することができる。さらに、上述される単一フェーズが十分である場合は、５０４において多フェーズは選択されず、５１０において、この時点においてもユーザープレーンデータ転送が開始することができる。
【００４５】
次に図６に関して、多フェーズ接続確立をサポートするのを容易にする方法６００が示される。６０２において、接続確立要求を受信することができる。この要求は、要求器に関する通信資源（例えば、無線シグナリングベアラ）を入手するための要求器に関する情報を備えることができる。６０４において、ネットワークに関して要求が初期設定される。例えば、下流ネットワークデバイスは、要求器に関するコンテキスト又はそれに関連づけられたその他の情報を有することができる。６０６において、接続確立を完了させるために追加パラメータが希望されるか又は要求されるかに関する決定を行うことができる。例えば、下流ネットワークは、上述されるようにセキュリティ再構成／権限付与、要求器のアイデンティティ又はコンテキスト、追加の要求器関連パラメータ、等を要求することができる。６０８において、希望される場合は追加パラメータの要求を送信することができ、従って、６０６において追加パラメータに関する決定を行うことができる。要求内において与えられた情報及び／又は追加パラメータが６０６において十分である場合は、６１０において接続確立要求を（例えば、成功裏に又はその他の形で）完了させることができる。
【００４６】
ここにおいて説明される１つ以上の側面により、単一フェーズ又は多フェーズ接続確立を選択することに関する推論を説明されるように行うことができる。ここにおいて用いられる“推論する”又は“推論”という表現は、一般的には、システム、環境、及び／又はユーザーの状態をイベント及び／又はデータを介して取得された一組の観察事項から推量するか又は推論するプロセスを指す。推論は、特定の状況又は行動を識別するために採用することができるか、又は例えば状態に関する確率分布を生成することができる。推論は、確率論的、すなわち、データ及びイベントの考慮に基づいた対象状態に関する確率分布の計算であることができる。推論は、より高いレベルのイベントを一組のイベント及び／又はデータから組み立てるために採用される技法を指すこともできる。該推論の結果として、新しいイベント又は行動が一組の観察されたイベント及び／又は格納されたイベントデータから構築されることになり、これらのイベントが時間的に接近した形で相互に関連しているかどうか、及びこれらのイベント及びデータが１つ又は幾つかのイベント及びデータ源からのものであるかどうかを問わない。
【００４７】
一例により、上述される１つ以上の方法は、接続確立のタイプ（例えば、単一フェーズ又は多フェーズ）の選択、接続確立要求とともに送信される追加パラメータ、追加パラメータの送信時期、追加パラメータを送信するためのプロトコル又はＮＡＳメッセージ、等に関する推論を行うことを含むことができる。
【００４８】
図７は、無線通信ネットワークにおける選択式フェーズ接続確立を容易にするモバイルデバイス７００を示す。モバイルデバイス７００は、例えば受信アンテナ（示されていない）から信号を受信し、受信された信号に関して典型的動作（例えば、フィルタリング、増幅、ダウンコンバージョン、等）を行い、コンディショニングされた信号をデジタル化してサンプルを入手する受信機７０２を備える。受信機７０２は、受信されたシンボルを復調してチャネル推定のためにプロセッサ７０６に提供する復調器７０４を備えることができる。プロセッサ７０６は、受信機７０２によって受信された情報を解析すること及び／又は送信機７００による送信のために情報を生成することを専用とするプロセッサ、モバイルデバイス７００の１つ以上の構成要素を制御するプロセッサ、及び／又は受信機７０２によって受信された情報を解析し、送信機７１６による送信のための情報を生成し、及びモバイルデバイス７００の１つ以上の構成要素を制御するプロセッサであることができる。
【００４９】
モバイルデバイス７００は、動作可能な形でプロセッサ７０６に結合され及び送信されるべきデータ、受信されたデータ、利用可能チャネルに関連する情報、解析された信号と関連づけられたデータ及び／又は干渉強度、割り当てられたチャネル、電力、レート、等に関連する情報、及びチャネルを推定する及びチャネルを介して通信するためのその他の適切な情報を格納することができるメモリ７０８をさらに備えることができる。メモリ７０８は、チャネルを推定及び／又は利用することと関連づけられたプロトコル及び／又はアルゴリズムをさらに格納することができる（例えば、性能に基づく、容量に基づく、等）。
【００５０】
ここにおいて説明されるデータ格納装置（例えば、メモリ７０８）は、揮発性メモリ又は非揮発性メモリであることができ、又は揮発性メモリ及び非揮発性メモリの両方を含むことができる。例として、及び制限することなしに、非揮発性メモリは、読み取り専用メモリ（ＲＯＭ）、プログラマブルＲＯＭ（ＰＰＲＯＭ）、電気的プログラマブルＲＯＭ（ＥＰＲＯＭ）、電気的消去可能ＲＯＭ（ＥＥＰＲＯＭ）、又はフラッシュメモリを含むことができる。揮発性メモリは、外部キャッシュメモリとして動作するランダムアクセスメモリ（ＲＡＭ）を含むことができる。例として、ただし制限することなしに、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）等の数多くの形態で利用可能である。主題のシステム及び方法のメモリ７０８は、制限されることなしに、これらの型及びその他のあらゆる適切な型のメモリを備えることが意図される。
【００５１】
プロセッサ７０６は、上述されるように単一フェーズ接続確立又は多フェーズ接続確立を選択することができるフェーズ選択器７１０及び送信機７１６を用いて送信すべき追加パラメータを決定することができる追加パラメータ生成器７１２に動作可能な形でさらに結合することができる。一例においては、モバイルデバイス７００は、モバイルネットワークデータを通信するのを容易にするために１つ以上の基地局との接続を確立するのを希望することができ、これは、新しい基地局への移動、アイドル状態からアクティブ状態への切り替え、等を含むことができる。モバイルデバイス７００は、送信機７１６を介して初期接続確立メッセージを基地局に送信することができる。（例えば、モバイルデバイス７００、基地局、その他のネットワーク構成要素、等によって）追加情報が要求されるか又は希望される場合は、フェーズ選択器７１０は、多フェーズ確立を選択することができ、追加パラメータ生成器７１２は、追加パラメータを決定してそれらを要求デバイスに送信することができる。これは、説明されるように、一例においては基地局へのＮＡＳメッセージであり又はシグナリングコマンドであることができる。パラメータは、上述されるようなセキュリティ構成、再権限付与、アイデンティティ、コンテキスト、等に関連することができる。モバイルデバイス７００は、信号を変調する変調器７１４と、例えば基地局、他のモバイルデバイス、等に信号を送信する送信機７１６と、をさらに備える。フェーズ選択器７１０、追加パラメータ生成器７１２、復調器７０４、及び／又は変調器７１４は、プロセッサ７０６から切り離されて描かれているが、これらは、プロセッサ７０６又は複数のプロセッサ（示されていない）の一部であることができることが明確に理解されるべきである。
【００５２】
図８は、多フェーズ確立を用いてデバイスに関する接続を確立するのを容易にするシステム８００を示す。システム８００は、複数の受信アンテナ８０６を通じて１つ以上のモバイルデバイス８０４から信号を受信する受信機８１０、及び送信アンテナ８０８を通じて１つ以上のモバイルデバイス８０４に送信する送信機８２４を有する基地局８０２（例えば、アクセスポイント）を備える。受信機８１０は、受信アンテナ８０６から情報を受信することができ、受信された情報を復調する復調器８１２と動作可能な形で関連づけられる。復調されたシンボルは、図７に関して上述されるプロセッサと類似であることができ及び信号（例えば、パイロット）強度及び／又は干渉強度を推定することに関連する情報、モバイルデバイス８０４（又は異種の基地局（示されていない））に送信されるべき又はモバイルデバイス８０４（又は異種の基地局（示されていない））から受信されたデータ、及び／又はここにおいて説明される様々な動作及び機能を行うことに関連するその他のあらゆる適切な情報を格納するメモリ８１６に結合されるプロセッサ８１４によって解析される。プロセッ８１４は、１つ以上のモバイルデバイス８０４に関するコンテキストを入手するためにネットワーク構成要素（示されていない）と通信することができるコンテキスト要求器８１８及び基地局９０２又はネットワーク構成要素によって希望されるか又は要求される場合にモバイルデバイス８０４に追加情報を要求することができる追加パラメータ要求器８２０にさらに結合される。
【００５３】
一例においては、１つ以上のモバイルデバイス８０４は、基地局８０２に接続確立を要求することができる。コンテキスト要求器８１８は、デバイス８０４が無線通信ネットワークにアクセスする権限を付与されるようにするためにネットワーク構成要素に接触することができる。接触する際には、ネットワーク構成要素は、モバイルデバイス８０４に関する追加情報、例えば、コンテキスト情報、セキュリティ権限付与又は構成情報、アイデンティティ情報、等、を要求することができ、又はネットワーク構成要素は、ＮＡＳメッセージをモバイルデバイス８０４に送信することができる。追加パラメータ要求器８２０は、接続を確立するのを容易にするために追加情報（及び／又はＮＡＳメッセージ）の要求をモバイルデバイス８０４に送信することができる。さらに、コンテキスト要求器８１８、追加パラメータ要求器８２０、復調器８１２、及び／又は変調器８２２は、プロセッサ８１４から切り離されて描かれているが、これらは、プロセッサ８１４又は複数のプロセッサ（示されていない）の一部であることができることが明確に理解されるべきである。
【００５４】
図９は、無線通信システム例９００を示す。無線通信システム９００は、説明を簡潔するために１つの基地局９１０及び１つのモバイルデバイス９５０を描く。しかしながら、システム９００は、２つ以上の基地局及び／又は２つ以上のモバイルデバイスを含むことができ、追加の基地局及び／又はモバイルデバイスは後述される基地局例９１０及びモバイルデバイス例９５０と実質的に類似すること又は異なることができることが明確に理解されるべきである。さらに、基地局９１０及び／又はモバイルデバイス９５０は、両者間での無線通信を容易にするためのここにおいて説明されるシステム（図１乃至３及び７乃至８）、構成（図４）及び／又は方法（図５乃至６）を採用できることが明確に理解されるべきである。
【００５５】
基地局９１０において、幾つかのデータストリームに関するトラフィックデータがデータソース９１２から送信（ＴＸ）データプロセッサ９１４に提供される。一例により、各データストリームは、各々のアンテナを通じて送信することができる。ＴＸデータプロセッサ９１４は、コーディングされたデータを提供するためにそのデータストリームに関して選択された特定のコーディング方式に基づいてトラフィックデータストリームをフォーマット化、コーディング、及びインターリービングする。
【００５６】
各データストリームに関するコーディングされたデータは、直交周波数分割多重化（ＯＦＤＭ）技法を用いてパイロットデータと多重化することができる。さらに加えて又は代替で、パイロットシンボルは、周波数分割多重化（ＦＤＭ）、時分割多重化（ＴＤＭ）、又は符号分割多重化（ＣＤＭ）することができる。パイロットデータは、典型的には、既知の方法で処理される既知のデータパターンであり、チャネル応答を推定するためにモバイルデバイス９５０において用いることができる。各データストリームに関する多重化されたパイロット及びコーディングされたデータは、変調シンボルを提供するためにそのデータストリームに関して選択された特定の変調方式（例えば、二フェーズ偏移変調（ＢＰＳＫ）、四フェーズ偏移変調（ＱＰＳＫ）、Ｍフェーズ偏移変調（Ｍ−ＰＳＫ）、Ｍ−直交振幅変調（Ｍ−ＱＡＭ）、等）に基づいて変調する（例えば、シンボルマッピングする）ことができる。各データストリームに関するデータレート、コーディング、及び変調は、プロセッサ９３０によって実行又は提供される命令によって決定することができる。
【００５７】
データストリームに関する変調シンボルは、ＴＸ  ＭＩＭＯプロセッサ９２０に提供することができ、ＴＸ  ＭＩＭＯプロセッサ９２０は、（例えば、ＯＦＤＭに関する）変調シンボルをさらに処理することができる。次に、ＴＸ  ＭＩＭＯプロセッサ９２０は、ＮＴの変調シンボルストリームをＮＴの送信機（ＴＭＴＲ）９２２ａ乃至９２２ｔに提供する。様々な実施形態においては、ＴＸ  ＭＩＭＯプロセッサ９２０は、データストリームのシンボルに対して及びシンボルを送信中であるアンテナに対してビーム形成重みを適用する。
【００５８】
各送信機９２２は、各々のシンボルストリームを受信及び処理して１つ以上のアナログ信号を提供し、これらのアナログ信号をさらにコンディショニング（例えば、増幅、フィルタリング、及びアップコンバージョン）してＭＩＭＯチャネルで送信するのに適する変調された信号を提供する。さらに、送信機９２２ａ乃至９２２ｔからのＮＴの変調された信号がＮＴのアンテナ９２４ａ乃至９２４ｔからそれぞれ送信される。
【００５９】
モバイルデバイス９５０において、送信された変調された信号がＮＲのアンテナ９５２ａ乃至９５２ｒによって受信され、各アンテナ９５２からの受信された信号は、各々の受信機（ＲＣＶＲ）９５４ａ乃至９５４ｒに提供される。各受信機９５４は、各々の信号をコンディショニング（例えば、フィルタリング、増幅、及びダウンコンバージョン）し、コンディショニングされた信号をデジタル化してサンプルを提供し、これらのサンプルをさらに処理して対応する“受信された”シンボルストリームを提供する。
【００６０】
ＲＸデータプロセッサ９６０は、特定の受信機処理技法に基づいてＮＲの受信機９５４からのＮＲの受信されたシンボルストリームを受け取り及び処理してＮＴの“検出された”シンボルストリームを提供する。ＲＸデータプロセッサ９６０は、各検出されたシンボルストリームを復調、デインターリービング、及び復号してデータストリームに関するトラフィックデータを復元する。ＲＸデータプロセッサ９６０による処理は、基地局９１０におけるＴＸ  ＭＩＭＯプロセッサ９２０及びＴＸデータプロセッサ９１４によって行われる処理を補完するものである。
【００６１】
プロセッサ９７０は、上述されるようにいずれのプリコーディング行列を利用すべきかを周期的に決定することができる。さらに、プロセッサ９７０は、行列インデックス部分と順位値部分とを備える逆方向リンクメッセージを作成することができる。
【００６２】
逆方向リンクメッセージは、通信リンク及び／又は受信されたデータストリームに関する様々なタイプの情報を備えることができる。逆方向リンクメッセージは、幾つかのデータストリームに関するトラフィックデータもデータソース９３６から受け取るＴＸデータプロセッサ９３８によって処理し、変調器９８０によって変調し、送信機９５４ａ乃至９５４ｒによってコンディショニングし、基地局９１０に送信して戻すことができる。
【００６３】
基地局９１０において、モバイルデバイス９５０からの変調された信号は、アンテナ９２４によって受信され、受信機９２２によってコンディショニングされ、復調器９４０によって復調され、ＲＸデータプロセッサ９４２によって処理され、モバイルデバイス９５０によって送信された逆方向リンクメッセージが抽出される。さらに、プロセッサ９３０は、抽出されたメッセージを処理し、いずれのプリコーディング行列をビーム形成重みの決定のために用いるべきかを決定することができる。
【００６４】
プロセッサ９３０及び９７０は、基地局９１０及びモバイルデバイス９５０における動作を指示（例えば、制御、調整、管理）することができる。各々のプロセッサ９３０及び９７０は、プログラムコード及びデータを格納するメモリ９３２及び９７２と関連づけることができる。プロセッサ９３０及び９７０は、アップリンク及びダウンリンクに関する周波数及びインパルス応答推定値を導き出すための計算をそれぞれ行うこともできる。
【００６５】
ここにおいて説明される実施形態は、ハードウェア、ソフトウェア、ファームウェア、ミドルウェア、マイクロコード、又はそのいずれかの組み合わせにおいて実装できることが理解されるべきである。ハードウェアにおいて実装する場合は、処理ユニットは、ここにおいて説明される機能を果たすように設計された１つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、その他の電子ユニット、又はその組み合わせ内に実装することができる。
【００６６】
これらの実施形態がソフトウェア、ファームウェア、ミドルウェア、マイクロコード、プログラムコード又はコードセグメントにおいて実装されるときには、機械によって読み取り可能な媒体、例えば記憶構成要素、に格納することができる。コードセグメントは、手順、関数、サブプログラム、プログラム、ルーチン、サブルーチン、モジュール、ソフトウェアパッケージ、クラス、又は命令、データ構造、又はプログラム文の組み合わせを表すことができる。コードセグメントは、情報、データ、引数、パラメータ、又はメモリ内容を渡す及び／又は受け取ることによって他のコードセグメント又はハードウェア回路と結合させることができる。情報、引数、パラメータ、データ、等は、メモリを共有する、メッセージを渡す、トークンを渡す、ネットワーク送信、等を含むあらゆる適切な手段を用いて渡す、転送する、又は送信することができる。
【００６７】
ソフトウェア内に実装する場合は、ここにおいて説明される技法は、ここにおいて説明される機能を果たすモジュール（例えば、手順、関数、等）とともに実装することができる。ソフトウェアコードは、メモリユニットに格納してプロセッサによって実行することができる。メモリユニットは、プロセッサ内に又はプロセッサの外部に実装することができ、プロセッサの外部に実装する場合は、当業において知られる様々な手段を通じて通信可能な形でプロセッサに結合させることが可能である。
【００６８】
図１０に関して、多ステップ接続確立においてユーザープレーン資源を要求するのを容易にするシステム１０００が示される。例えば、システム１０００は、基地局、モバイルデバイス、等内に少なくとも部分的に常駐することができる。システム１０００は、プロセッサ、ソフトウェア、又はその組合せ（例えばファームウェア）によって実装される機能を表す機能ブロックであることができる機能ブロックを含むものとして表されることが明確に理解されるべきである。システム１０００は、連携して動作することができる電気的構成要素から成る論理グループ１００２を含む。例えば、論理グループ１００２は、ＲＲＣ層において接続を確立することに関連する初期パラメータを送信するための電気的構成要素１００４を含むことができる。例えば、接続は、ＲＲＣ又はその他のメディア層の資源要求に基づいて確立することができる。さらに、論理グループ１００２は、ユーザープレーンデータ接続を確立するための追加パラメータを追加パラメータの要求に少なくとも部分的に基づいて生成するための電気的構成要素１００６を備えることができる。例えば、第２の接続層は、システム１０００に関するコンテキストを備えるネットワーク構成要素に関連することができ、追加情報は、コンテキストの同期化、権限付与、それに関連するアイデンティティ、等に関連することができる。他の例においては、追加パラメータの要求は、ＮＡＳメッセージの形態であることができる。さらに、論理グループ１００２は、ユーザープレーンデータ接続を確立するためにＲＲＣ層を通じて追加パラメータを送信するための電気的構成要素１００８を備えることができる。従って、追加資源は、ネットワーク構成要素からの要求を完了させてユーザープレーン接続を確立するために利用することができる。さらに、システム１０００は、電気的構成要素１００４、１００６、及び１００８と関連づけられた機能を実行するための命令を保持するメモリ１０１０を含むことができる。電気的構成要素１００４、１００６、及び１００８は、メモリ１０１０の外部の電気的構成要素として示されている一方で、該電気的構成要素のうちの１つ以上がメモリ１０１０内に存在できることが理解されるべきである。
【００６９】
図１１に関して、モバイルデバイスからのユーザープレーン接続確立データを通信するシステム１１００が示される。システム１１００は、例えば基地局、モバイルデバイス、等内に常駐することができる。描かれるように、システム１１００は、プロセッサ、ソフトウェア、又はその組み合わせ（例えば、ファームウェア）によって実装される機能を表すことができる機能ブロックを含む。システム１１００は、通信を確立するのを容易にする電気的構成要素から成る論理グループ１１０２を含む。論理グループ１１０２は、ネットワークデバイス１００４からモバイルデバイスに関するユーザープレーン接続を要求する一部としてネットワークデバイスに初期パラメータを送信するための電気的構成要素１１０４を含むことができる。例えば、ＲＲＣ層（又はその他のメディア層）接続は、確立しておくことができるが、ユーザープレーンにおける接続を確立するために追加パラメータを要求及び／又は希望することができる。さらに、論理グループ１１０２は、ネットワークデバイスからの追加のモバイルデバイスパラメータの要求を受け取るための電気的構成要素１１０６を含むことができる。この点に関して、ネットワークデバイスは、一例においてはモバイルデバイスをさらに認証するために初期ＲＲＣ層要求において送信できるよりも多くの情報を要求することができる。パラメータ要求は、例えばＮＡＳメッセージの形態であることができる。さらに、論理グループ１１０２は、追加のモバイルデバイスパラメータの要求をモバイルデバイス１１０８に送信するための電気的構成要素１１０８を備えることができる。その後、例えば、パラメータをモバイルデバイスによって生成して要求中のデバイスに送信することができ、これは、ＮＡＳメッセージであることも可能である。さらに、システム１１００は、電気的構成要素１１０４、１１０６、及び１１０８と関連づけられた機能を実行するための命令を保持するメモリ１１１０を含むことができる。電気的構成要素１１０４、１１０６、及び１１０８は、メモリ１１１０の外部の電気的構成要素として示されている一方で、該電気的構成要素はメモリ１１１０内に存在できることが理解されるべきである。
【００７０】
上述されていることは、１つ以上の実施形態の例を含む。当然のことであるが、上記の実施形態を説明することを目的として構成要素又は方法の考えられるあらゆる組み合わせを説明することは可能ではないが、様々な実施形態のさらに数多くの組み合わせ及び置換が可能であることを当業者は認識することができる。従って、説明される実施形態は、添付された請求項の精神及び適用範囲内にあるあらゆる変更、修正及び変形を包含することが意図されている。さらに、発明を実施するための形態又は請求項の範囲において“含む”という表現が用いられている限りにおいて、該表現は、“備える”という表現が請求項において移行語として採用されたときの解釈と同様の包含性を有することが意図されている。
【図１】
2010528497.tif 000003
【図２】
2010528497.tif 000004
【図３】
2010528497.tif 000005
【図４】
2010528497.tif 000006
【図５】
2010528497.tif 000007
【図６】
2010528497.tif 000008
【図７】
2010528497.tif 000009
【図８】
2010528497.tif 000010
【図９】
2010528497.tif 000011
【図１０】
2010528497.tif 000012
【図１１】
2010528497.tif 000013
【国際調査報告】
2010528497.tif 000014
2010528497.tif 000015